(57)【特許請求の範囲】
【請求項１】
１次コイル及び２次コイル間で電力を伝送するようになされた電力伝送装置において、
所定周波数でなる発振信号を生成して送出する信号生成手段と、
上記１次コイルに導電する電流を供給する電流供給手段と、
上記電流供給手段から供給される上記電流の上記１次コイルへの導電及び遮断を、上記発振信号の周波数に基づいて駆動制御する駆動手段と、
上記駆動制御による上記電流の導電及び遮断により、上記発振信号の周波数に基づき時間変化する磁束を発生する上記１次コイルと、
キヤパシタンス素子が並行に接続されてなり、上記１次コイルに発生する上記時間変化する磁束の鎖交に応じて誘導起電力を生じ、上記発振信号の周波数に比して高い周波数を共振周波数として、上記キヤパシタンス素子との間で上記誘導起電力に基づいて発生する誘導電流の共振を行う上記２次コイルと
を具え、
上記１次コイルに発生する上記時間変化する磁束の鎖交によつて上記２次コイルに上記誘導起電力を発生させることにより、上記１次コイルから上記２次コイルに上記電力を伝送する
ことを特徴とする電力伝送装置。
【請求項２】
上記２次コイルは、上記電流の上記１次コイルへの導電が遮断されたタイミング時に発生する上記誘導電流を整流して出力する
ことを特徴とする請求の範囲第１項に記載の電力伝送装置。
【請求項３】
上記１次コイル及び上記２次コイルは、それぞれ所定形状でなるコアに巻回されてなり、上記１次コイルを巻回した上記コア及び上記２次コイルを巻回した上記コアを、互いの中心をずらした位置に配置してなる
ことを特徴とする請求の範囲第１項に記載の電力伝送装置。
【請求項４】
上記１次コイルを巻回してなる上記コアは、上記２次コイルを巻回した上記コアに比して断面積が大となるように形成されてなる
ことを特徴とする請求の範囲第３項に記載の電力伝送装置。
【請求項５】
上記１次コイルに生じる所定のパラメータ変動を検出する検出手段と、
上記検出結果に応じて第１又は第２の制御信号を送出する制御手段と、
上記第１の制御信号が供給された場合は上記発振信号を所定のタイミング毎に所定時間だけ間欠的に上記駆動手段に供給し、上記第２の制御信号が供給された場合は上記発振信号を継続的に上記駆動手段に供給する間欠発振手段と
を具えることを特徴とする請求の範囲第１項に記載の電力伝送装置。
【請求項６】
上記１次コイル及び２次コイルとは別途に設けられた３次コイルと、
上記３次コイルに生じる所定のパラメータ変動を検出する検出手段と、
上記検出結果に応じて第１又は第２の制御信号を送出する制御手段と、
上記第１の制御信号が供給された場合は上記発振信号を所定のタイミング毎に所定時間だけ間欠的に上記駆動手段に供給し、上記第２の制御信号が供給された場合は上記発振信号を継続的に上記駆動手段に供給する間欠発振手段と
を具えることを特徴とする請求の範囲第１項に記載の電力伝送装置。
【請求項７】
上記３次コイルは、
上記２次コイルの近傍位置でかつ上記１次コイルが生成する上記磁束が鎖交する位置に配されてなる
ことを特徴とする請求の範囲第６項に記載の電力伝送装置。
【請求項８】
上記３次コイルは、
上記２次コイルを有する電子機器の所定位置に配された所望の金属部材と対向する位置に配されてなり、
所定周波数でなる第２の発振信号を生成して送出する第２の信号生成手段と、
上記３次コイルに導電する電流を供給する第２の電流供給手段と、
上記第２の発振信号の周波数に基づいて、上記第２の電力供給手段から供給される上記電流の上記３次コイルへの導電及び遮断を駆動制御する第２の駆動手段と
を具えることを特徴とする請求の範囲第６項に記載の電力伝送装置。
【請求項９】
無接点でなる１次コイル及び２次コイル間で電力を伝送するようになされた電力伝送方法において、
所定周波数でなる発振信号に基づいて上記１次コイルへの電流の導電及び遮断を駆動制御し、
上記駆動制御による上記電流の導電及び遮断により、上記１次コイルに上記発振信号の周波数に基づき時間変化する磁束を発生させ、
上記１次コイルに発生する上記磁束の鎖交によつて上記２次コイルに誘導起電力を発生させることにより上記１次コイルから上記２次コイルへの上記電力の伝送を行い、当該誘導起電力により発生する誘導電流を上記発振信号の周波数に比して高い周波数で共振を行う
ことを特徴とする電力伝送方法。
【請求項１０】
上記電流の上記１次コイルへの導電が遮断されたタイミング時で上記２次コイルに発生する誘導電流を整流して出力する
ことを特徴とする請求の範囲第９項に記載の電力伝送方法。
【請求項１１】
それぞれ所定形状のコアに巻回されてなる上記１次コイル及び２次コイルを、互いの上記コアの中心をずらした位置で配置する
ことを特徴とする請求の範囲第９項に記載の電力伝送方法。
【請求項１２】
上記１次コイルを巻回してなる上記コアの断面積を、上記２次コイルを巻回した上記コアの断面積に比して大とする
ことを特徴とする請求の範囲第１１項に記載の電力伝送方法。
【請求項１３】
上記１次コイルに生じる所定のパラメータ変動を検出する検出ステツプと、
上記検出結果に応じて第１又は第２の制御信号を送出する制御ステツプと、
上記第１の制御信号が供給された場合は所定のタイミング毎に所定時間だけ間欠的に上記１次コイルへの導電及び遮断を駆動制御し、上記第２の制御信号が供給された場合は継続的に上記１次コイルへの導電及び遮断を駆動制御する間欠発振切換えステツプと
を具えることを特徴とする請求の範囲第９項に記載の電力伝送方法。
【請求項１４】
上記１次コイル及び２次コイルとは別途に設けられた３次コイルに生じる所定のパラメータ変動を検出する検出ステツプと、
上記検出結果に応じて第１又は第２の制御信号を送出する制御ステツプと、
上記第１の制御信号が供給された場合は所定のタイミング毎に所定時間だけ間欠的に上記１次コイルへの導電及び遮断を駆動制御し、上記第２の制御信号が供給された場合は継続的に上記１次コイルへの導電及び遮断を駆動制御する間欠発振切換えステツプと
を具えることを特徴とする請求の範囲第９項に記載の電力伝送方法。
【発明の詳細な説明】
技術分野
本発明は電力伝送装置及び電力伝送方法に関し、例えば携帯用小型電子機器に内蔵される２次電池に無接点端子を介して充電を行う充電装置として用いられる電力伝送装置及び電力伝送方法に適用して好適なものである。
背景技術
近年、ヘツドホンステレオ、カメラ一体型ＶＴＲ、移動通信端末装置等を小型化した携帯用小型電子機器の需要が拡大している。これらの携帯用小型電子機器には高容量の充電可能な２次電池が電源として内蔵されており、所定の充電装置を用いて充電を行うようになされている。
こうした充電装置の一つとして接触型のものがある。接触型の充電装置は例えばバネ式の電気接点を有しており、当該接点に携帯用小型電子機器側の電気接点を接触させて両者を電気的に接続し、こうして形成される電気経路を介して携帯用小型電子機器に内蔵された２次電池に充電電流を供給する。
しかし、このような充電装置では、経年変化等に応じて接点部分に酸化を生じたり汚れが付着する場合がある。このような酸化や汚れは両者の接点部分に接触不良を生じさせ、２次電池への充電電流の供給を阻害するという問題を生じさせることになる。
このような問題を回避するために、非接触型の充電方式を用いた充電装置が考えられている。非接触型の充電方式としては、電磁誘導によつて充電装置から２次電池に充電電流を供給する方式が考えられる。
すなわち充電装置側の端子部分に１次コイルを設け、また携帯用小型電子機器側の端子部分に２次コイルを設け、１次コイル及び２次コイルを近接させる。こうした状態で１次コイルに電流を流した場合、１次コイルは磁束を発生する。ここで例えば１次コイルに流す電流を一定時間毎にオン及びオフした場合、電流の導電により発生する磁束は時間変化する。２次コイル側では、こうして時間変化する磁束の鎖交による電磁誘導によつて誘導起電力が生じる。２次コイルは誘導起電力を電源として、１次コイル側の導電のオン及びオフに応じて電流の方向が反転する交流電流を交流電流として発生する。非接触型の充電装置は、こうして２次コイルに発生する誘導電流を充電電流として２次電池に供給することにより充電を行う。
このように充電時に充電装置側の１次コイルと携帯用小型電子機器側の２次コイルとを近接させて、電磁誘導による磁気的接続を用いて１次コイル側から２次コイル側に電力を伝送するようにしたことにより非接触型の充電装置を実現することができる。
ところでかかる構成の充電装置においては、１次コイルと２次コイルとをそれぞれ充電装置側、電子機器側に内蔵するようになされており、１次コイルから２次コイルへと電磁誘導によつて電力伝送することにより、無接点による電力伝送を行うようになされている。
しかし、こうした場合、１次コイルと２次コイルとの間の間隔が長くなることで（空気の比透磁率の場合）、１次コイル及び２次コイル間の結合係数が悪くなり、１次コイルに生じる磁束の２次コイルへの鎖交量が減少する。この為、こうした電力伝送装置では、一般的なトランスのように１次コイルと２次コイルとの結合度を高くすることが困難である。
このことから、上述のような電力伝送装置では、低い結合度による電力損失のため、電力伝送効率が低いという問題が生じることになる。
発明の開示
本発明は以上の点を考慮してなされたもので、１次コイル側から２次コイル側への電力伝送効率を向上し得る電力伝送装置及び電力伝送方法を提案しようとするものである。
かかる課題を解決するため本発明においては、１次コイル及び２次コイル間で電力を伝送するようになされた電力伝送装置において、所定周波数でなる発振信号を生成して送出する信号生成手段と、１次コイルに導電する電流を供給する電流供給手段と、電流供給手段から供給される電流の１次コイルへの電流の導電及び遮断を、発振信号の周波数に基づいて駆動制御する駆動手段と、駆動制御による電流の導電及び遮断により発振信号の周波数に基づき時間変化する磁束を発生する１次コイルと、キヤパシタンス素子が並行に接続されてなり、１次コイルに発生する時間変化する磁束の鎖交に応じて誘導起電力を生じ、発振信号の周波数に比して高い周波数を共振周波数として、キヤパシタンス素子との間で誘導起電力に基づいて発生する誘導電流の共振を行う２次コイルとを設け、１次コイルに発生する時間変化する磁束の鎖交によつて２次コイルに誘導起電力を伝送するようにする。
このようにして１次コイル側の発信信号の周波数に比して高い周波数を２次コイル側の共振波数としたことにより、キヤパシタンスを小さくして、１次コイルと２次コイルとの結合係数を見かけ上、高くすることができ、かくして１次コイル側から２次コイル側への電力伝送効率を向上することができる。
【図面の簡単な説明】
図１は、本発明の第１実施例による充電装置及び電子機器の構成を示す回路図である。
図２は、電磁誘導部の等価回路を示す回路図である。
図３は、１次コイルの駆動周波数及び２次コイルの共振周波数の関係の説明に供する図表である。
図４は、駆動周波数に応じて１次コイルに与えられる駆動電圧の説明に供する図表である。
図５は、２次コイルに生じる誘導電圧の説明に供する図表である。
図６は、本発明の第２実施例による充電装置及び電子機器の構成を示す回路図である。
図７は、２次コイルに生じる誘導電圧の説明に供する図表である。
図８は、本発明の第３実施例による充電装置及び電子機器の構成を示す略線図である。
図９は、本発明の第４実施例による充電装置及び電子機器の構成を示すブッロク図である。
図１０は、１次コイル側の周波数可変による２次コイル側の誘導電圧制御の説明に供する図表である。
図１１は、実施例による誘導電圧の維持の説明に供する図表である。
図１２は、電圧検出による周波数制御の手順の説明に供するフローチャートである。
図１３は、本発明の第５実施例による充電装置及び電子機器の構成を示すブロック図である。
図１４は，本発明の第６実施例による充電装置の構成を示すブロック図である。
図１５は、他の実施例による充電装置の構成を示すブロック図である。
図１６は、他の実施例による充電装置の構成を示すブロック図である。
発明の実施するための最良の形態
以下図面について、本発明の実施例を詳述する。
（１）第１実施例
図１において、１は全体として充電装置を示し、電源２から送出する電力を電磁誘導部３を介して所定の電子機器に内蔵された２次電池に供給することにより、当該２次電池に充電を行うようになされている。電磁誘導部３は充電装置１側に設けられた１次コイルＬ１及び電子機器内に設けられた２次コイルＬ２からなり、１次コイルＬ１及び２次コイルＬ２が無接点状態となつている。１次コイルＬ１は一方の端子を電源２に接続して配されており、また２次コイルＬ２は両端子を２次電池に接続している。充電装置１は１次コイルＬ１及び２次コイルＬ２を各々所定形状のコアに巻回しており、両コアを充電時にそれぞれ対向した位置で配するようになされている。
充電装置１は１次コイルＬ１の他方の端子を駆動回路４に接続しており、駆動回路４を駆動周波数生成部５に接続している。駆動周波数生成部５は所定周波数ｆOSCでなる発信信号を生成して駆動回路４に供給する。駆動回路４は与えられた発信信号をエミツタ接地したトランジスタＴｒ１のベース電極に入力する。トランジスタＴｒ１はベース電極に入力される発振信号の電圧レベルが正である時に、エミツタ電極及びコレクタ電極間に電流を導電する。これにより電源２から送出する電流が１次コイルＬ１に流れる。
またトランジスタＴｒ１のベース電極に入力される発振信号の電圧レベルが負の値となつた場合、トランジスタＴｒ１はエミツタ電極及びコレクタ電極間の導電を遮断する。この状態では電源２から送出される電流が１次コイルＬ１に流れず、１次コイルＬ１と駆動回路４のコンデンサＣ１とでなるＬＣ回路が共振回路を形成して１次コイルＬ１に逆起電力が生じる。この逆起電力による電圧を電源としてコンデンサＣ１に電流が流れて充電がなされ、このコンデンサＣ１が１次コイルＬ１に対して放電を行うことで１次コイルＬ１に逆方向の電流が流れる。電流はコンデンサＣ１の電圧低下に伴つて増加し、コンデンサＣ１の電圧が０になつた時点で最大となる。この後、コンデンサＣ１は逆向きの電圧によつて充電される。当該電圧が電源２の電圧を越えた時点で駆動回路４内のダンパーダイオードＤ１が導通してＬＣ回路が短絡した形となり、ＬＣ回路による振動が停止して１次コイルＬ１に流れる電流は直線的に減少する。電流が０になつた時点でトランジスタＴｒ１がオン状態となり、以降、上述の動作を繰り返す。このように１次コイルＬ１に流れる電流は駆動回路４によつて順方向及び逆方向に交互に流れて振動しており、このため１次コイルＬ１に生じる電圧は駆動周波数生成部５から送出される駆動周波数ｆOSCに基づいて変化する水平パルス形状となつている。
電流が流れることにより１次コイルＬ１には磁束が発生し、当該磁束が上述した電流の振動に応じて時間変化する。また、こうして時間変化する磁束の２次コイルＬ２への鎖交に基づき、２次コイルＬ２に誘導起電力が生じる。これにより２次コイルＬ２には磁束の時間変化により反転する誘導起電力によつて電流が流れ、当該電流が２次コイルＬ２及び２次コイルＬ２に並列に接続されたコンデンサＣ２によつて振動（共振）を生じる。こうして２次コイルＬ２に生じた交流でなる誘導電流はダイオードＤ２を介して送出されるようになされている。２次コイルＬ２を有する電子機器は、誘導起電力を電源として生じる誘導電流をダイオードＤ２により整流し、２次電池に供給して充電を行う。充電装置１は、こうした電磁誘導によつて電源２から送出する電力を１次コイルＬ１から２次コイルＬ２に伝送して充電を行う。
なお、図２は電磁誘導部３の等価回路を示しており、図中に示すＬＳ２は２次コイルＬ２側のリーケージインダクタンスとなつている。
ここで図３に示すように、充電装置１においては、反転する誘導起電力によつて２次コイルＬ２に発生する誘導電圧の周波数、すなわち共振周波数をｆOUTとした場合、当該共振周波数ｆOUTが１次コイルＬ１に流れる電流を駆動制御する周波数、すなわち駆動周波数ｆOSCに比して高い周波数となるようになされている。当該駆動周波数ｆOSCに対する共振周波数ｆOUTの設定は、例えば１次コイルの巻き数に対する２次コイルＬ２の巻き数比を調節したり、２次コイルＬ２に並行に接続された共振用コンデンサＣ２の容量を調節することによりなされる。
図４に示すように、１次コイルＬ１には駆動回路４のトランジスタＴｒ１のオン及びオフ状態に応じて順方向及び逆方向に電流が流れ、１次コイルＬ１に生じる電圧は駆動周波数ｆOSCでなるパルス波形状であらわれる。ここでｅ1はトランジスタＴｒ１のオフ時に１次コイルＬ１に生じる電力成分であり、ｅ2はトランジスタＴｒ１のオン時に１次コイルＬ１に生じる電力成分である。
また図５に示すように、１次コイルＬ１に生じる磁束の時間変化によって共振周波数ｆOUTでなる誘導電圧が生じる。ここでｅ3及びｅ4は２次コイルＬ２に生じる電圧及び電流による電力成分を示している。電力成分ｅ3は電力成分ｅ1に対応しており、Ｔｒ１がオフ状態の時に２次コイルＬ２に生じる。また電力成分ｅ4は電力成分ｅ2に対応しており、Ｔｒ１がオフ状態の時に２次コイルＬ２に生じる。ここで２次コイルＬ２を配した電子機器においては、電力成分ｅ3部分で生じた誘導電流を整流して電力を取り出し、２次電池に供給するようになされている。因みに、１次コイルＬ１の巻回方向と２次コイルＬ２の巻回方向とが逆方向であるため、１次コイルＬ１に生じる駆動周波数と２次コイルＬ２に生じる共振周波数とは波形の正負が反転している。
以上の構成において、駆動周波数生成部５で生成される発振信号の周波数に応じて駆動回路４のトランジスタＴｒ１はオン及びオフ状態となり、オン状態の時、電源２から送出される電流が１次コイルＬ１に流れる。またトランジスタＴｒ１がオフ状態の時、１次コイルＬ１に逆起電力が生じてコンデンサＣ１が充電され、その後、コンデンサＣ１からの放電により１次コイルＬ１にはトランジスタＴｒ１がオン状態の時と逆方向に電流が流れる。こうした電流方向の反転に応じて、１次コイルＬ１に生じる磁束は時間変化する。
２次コイルＬ２には１次コイルＬ１に生じた磁束の鎖交によつて誘導起電力が生じ、磁束の時間変化に応じて誘導起電力の向きも変化する。こうした誘導起電力の反転により２次コイルＬ２には、１次コイルＬ１の駆動周波数ｆOSCに対する共振周波数ｆOUTで誘導電圧が生じる。
ここで２次コイルＬ２側のＬＣ回路による共振周波数ｆOUTを１次コイルＬ１の駆動周波数ｆOSCと同一周波数となるように設定した場合、１次コイルＬ１に導電される電流は共振により電圧と同相となつているため、電圧レベルが最大時に電流レベルも最大となる。こうした周波数で２次コイルＬ２側が共振した場合、２次コイルＬ２側のＬＣ回路上での内部インピーダンスによる電力損失が大きくなるため、電力の伝送効率を向上し得ない。
また共振周波数ｆOUTを１次コイルＬ１の駆動周波数ｆOSC以下となるように設定した場合、駆動周波数ｆOSCの周波数から外れた周波数で共振させるために２次コイルＬ２側に生じる誘導電流の電流値は小さくなるが、２次コイルＬ２に並行に接続された共振用コンデンサＣ２の充放電に要する時間間隔が長くなるため、等価的にキヤパシタンスＣが大きくなり実効率Ｑが低下するために高い出力電圧を得ることができない。
２次コイルＬ２に生じる誘導電流は上述したように交流電流でなり、誘導電圧を高くして誘導電流を小さくすることにより、内部インピーダンスによる電力損失を少なくして効率良く電力を取り出し得るため、２次コイルＬ２側で得られる誘導電圧は出来るだけ高いことが要求される。
したがつて充電装置１は、上述のように２次コイルＬ２側の共振周波数ｆOUTを１次コイルＬ１側の駆動周波数ｆOSCより高い周波数となるように設定したことにより共振電流を低電流にし得ると共に、２次コイルＬ２側の共振回路におけるキヤパシタンスＣを等価的に小さくして実効率Ｑを高くし得る。これにより充電装置１は、１次コイルＬ１から２次コイルＬ２への電力伝送効率を、みかけ上の結合係数を高くして、向上することができる。
また２次コイルＬ２を有する電子機器側においては、１次コイルＬ１に流れる電流方向の反転に応じて２次コイルＬ２に生じる誘導電流から、トランジスタＴｒ１がオフ状態の時の電力成分ｅ3の部分を整流して電力を取り出すようになされている。すなわち電力成分ｅ3とｅ4（図５）とにおいては、それぞれの成分部分の面積は等しいものとなつており、このため両者の間には電力成分ｅ3の電流幅Ｔ１に比して電力成分ｅ4の電流幅Ｔ２が狭くなつており、また電力成分ｅ3の電圧値に比して電力成分ｅ4の電圧値が大きなものとなつているという関係が成り立つている。したがつて、電力成分ｅ4部分を整流して電力として取り出した場合、高い出力電圧を得ることができるが電流幅Ｔ２が電力成分ｅ3の電流幅Ｔ１に比して狭いために整流の導通角も狭く、電力成分ｅ3を整流した場合よりも不安定な出力電源となる。
充電装置１では、２次コイルＬ２を有する電子機器側で、電力成分ｅ3部分の誘導電流を整流して電力を取り出すようにしたことにより、整流の導通角を広くすることができ、安定した電源電力を取り出すことができる。
以上の構成によれば、１次コイルＬ１及び２次コイルＬ２間の電磁誘導によつて１次コイルＬ１から２次コイルＬ２に電力伝送する際に、２次コイルＬ２側に生じる共振周波数ｆOUTを１次コイルＬ１の駆動周波数ｆOSCより高い周波数となるようにすると共に、２次コイルＬ２側に生じた共振電圧からトランジスタＴｒ１がオフ状態の時の電力成分ｅ3部分の共振電圧を整流して電源電力を取り出すようにしたことにより、実効率Ｑを高くして見かけ上の結合係数を高くし得ると共に整流の導通角が広い共振電圧から電源電力を得ることができ、かくするにつき、電力伝送効率を向上し得ると共に、安定した電源電力を取り出し得る。
（２）第２実施例
図１との対応部分に同一符号を付して示す図６において、１０は充電装置を示し、充電装置１とほぼ同一の構成として電源２、電磁誘導部３、駆動回路４及び駆動周波数生成部５を有している。充電装置１０は電磁誘導部３（図１）として所定形状のコアに巻回した１次コイルＬ１を配しており、充電時、１次コイルＬ１を巻回したコアと対向する位置に、電子機器内に設けられた２次コイルＬ２を巻回したコアを配するようになされている。
充電装置１０は、駆動周波数生成部５で生成する発振信号により駆動回路４のトランジスタＴｒ１をオン及びオフさせて１次コイルＬ１への導電及び遮断を駆動制御して１次コイルＬ１に順方向及び逆方向に交互に電流を流す。こうして順方向及び逆方向に流れる電流によつて１次コイルＬ１には時間変化する磁束が生じ、当該磁束の鎖交により２次コイルＬ２に誘導起電力が発生して、２次コイルＬ２と並行接続されたコンデンサＣ２とによるＬＣ共振回路により共振電流が流れる。なお充電装置１０は充電装置１と同様に、１次コイルＬ１の駆動周波数に対して２次コイルＬ２の共振周波数が高くなるようになされている（図３）。
これに加えて充電装置１０では、単一のコイルで２次コイルＬ２を形成する充電装置１に対して、同一方向に巻回されてなる２つのコイルを接続して２次コイルＬ２を形成するようになされている。すなわち充電装置１０は、２次コイルＬ２としてコイルＬ２Ａ及びＬ２Ｂを直列接続することで電磁誘導部３を形成しており、１次コイルＬ１に生じる磁束の２次コイルＬ２への鎖交に応じて発生する誘導起電力によつて得られる共振回路の電圧を、ダイオードＤ２及びＤ３によつて各々整流した電源出力を２次電池に供給するようになされている。
２次コイルＬ２Ａ及びＬ２Ｂはコアに対するコイルの巻回方向が同方向であるため、図７に示すように、１次コイルＬ１の駆動周波数に対する２次コイルＬ２の共振周波数の極性が、２次コイルＬ２Ａ及びＬ２Ｂを接続した基準点Ａから見て互いに180[°]、位相がずれたものとなつている。２次コイルＬ２Ａ及びＬ２Ｂを有する電子機器側では、こうした共振周波数に基づいて生じる共振電圧をダイオードＤ２及びＤ３によつて整流して電力として取り出し、取り出した電力を２次電池に供給して充電を行うようになされている。
ここで２次コイルＬ２Ａ及びＬ２Ｂのコアへの巻き数が同じ場合、トランジスタＴｒ１がオフ状態の時に２次コイルＬ２Ａに生じる電力成分ｅ2Aの電圧値は、トランジスタＴｒ１がオン状態の時に２次コイルＬ２Ｂに生じる電力成分ｅ２Ｂの電圧値に比して小さいものとなる。こうした電力成分ｅ2A及びｅ2Bの共振電圧を整流して電力を取り出した場合、互いの電圧値の差分が変動値となり、不安定な電力となる。このため２次コイルＬ２側においては、２次コイルＬ２Ａ及びＬ２Ｂの巻き数比を調節することによりほぼ同じ電圧値が得られるようになされている。具体的には、２次コイルＬ２Ａの巻き数が２次コイルＬ２Ｂの巻き数より大きくなるようにしており、これにより２次コイルＬ２Ａ及びＬ２Ｂで得られる共振電圧の電圧値をほぼ等しいものとしている。
以上の構成において、１次コイルＬ１側の駆動周波数に応じて２次コイルＬ２側に生じる共振周波数は、２次コイルＬ２Ａの共振周波数と２次コイルＬ２Ｂの共振周波数とで位相が互いに180[°]ずれたものであり、こうした共振周波数に基づいて生じる誘導電流がそれぞれダイオードＤ２及びＤ３により整流されて出力される。ここで２次コイルＬ２Ａ及びＬ２Ｂのコイルの巻き数比は、２次コイルＬ２Ｂの巻き数に比して２次コイルＬ２Ａの巻き数が大きくなるように調整されており、２次コイルＬ２Ａに生じる誘導電圧と２次コイルＬ２Ｂに生じる誘導電圧とがほぼ同じ値となるようになされている。
このように、共振周波数の位相が180[°]ずれて生じる２次コイルＬ２Ａの誘導電流及び２次コイルＬ２Ｂの誘導電流を整流して出力することにより、１次コイルＬ１の磁束の時間変化に応じて２次コイルＬ２Ａに生じる電力成分ｅ2Aの誘導電流及び２次コイルＬ２Ｂに生じる電力成分ｅ2Bの誘導電流を共に電力として取り出すことができ、トランジスタＴｒ１のオン及びオフ状態のどちらの場合でも電力を取り出すことができる。
また電力成分ｅ2A及びｅ2Bは２次コイルＬ２Ａ及びＬ２Ｂの巻き数比を調節することにより電圧値がほぼ等しくなるようになされており、これにより電圧変動を抑制した安定な電力を得ることができる。
以上の構成によれば、２次コイルＬ２側に生じる共振周波数を１次コイルＬ１の駆動周波数より高い周波数となるようにしており、また電子機器側に巻き数比を調節して２次コイルＬ２Ｂの巻き数に比して２次コイルＬ２Ａの巻き数を大きくして得られる誘導電圧の値がほぼ等しくなるようにした２次コイルＬ２Ａ及びＬ２Ｂを接続して配し、それぞれに生じる共振電圧を整流して出力することにより、実効率Ｑを高くして見かけ上の結合係数を高くし得ると共に、２次コイルＬ２Ａ及び２次コイルＬ２Ｂに生じる電力成分ｅ2A及びｅ2Bの共振電圧を共に電源電力として取り出すことができ、かくするにつき、１次コイルＬ１から２次コイルＬ２への電力伝送効率を向上し得ると共に、１次コイルＬ１の電流方向に関わらずに安定した電力を得ることができる。
（３）第３実施例
図１との対応部分に同一符号を付して示す図８において、２０は充電装置を示し、充電装置１と同一の構成として電源２、電磁誘導部３、駆動回路４及び駆動周波数生成部５を有している。充電装置２０は電磁誘導部３（図１）として所定形状のコアに巻回した１次コイルＬ１を配しており、充電時、１次コイルＬ１を巻回したコアと対向する位置に、電子機器内に設けられた２次コイルＬ２を巻回したコアを配するようになされている。
充電装置２０は、駆動周波数生成部５で生成する発振信号により駆動回路４のトランジスタＴｒ１をオン及びオフさせて１次コイルＬ１への導電及び遮断を駆動制御して１次コイルＬ１に順方向及び逆方向に交互に電流を流す。こうして順方向及び逆方向に流れる電流によつて１次コイルＬ１には時間変化する磁束が生じ、当該磁束の鎖交により２次コイルＬ２に誘導起電力が生じて、２次コイルＬ２と並行接続されたコンデンサＣ２とによるＬＣ回路により共振電流が流れる。なお充電装置２０は充電装置１と同様に、１次コイルＬ１の駆動周波数に対して２次コイルＬ２の共振周波数が高くなるようになされている（図３）。
充電装置２０は充電装置１の構成に比して、電磁誘導部３として配する１次コイルＬ１及び２次コイルＬ２の配置状態及び両コイルを巻回するコアの大小関係に関して異なつている。２次コイルＬ２を巻回したコアの断面積は１次コイルＬ１を巻回したコアの断面積に比して小さく形成されており、また充電時に１次コイルＬ１を巻回したコアと２次コイルＬ２を巻回したコアとを互いに中心をずらした位置で配するようになされている。
すなわち充電装置２０において、１次コイルＬ１側のコアは所定の環形状でなると共に、当該コアの一部を環周上の所定位置で切断して所定間隔だけ離した形状となつている。また充電時、２次コイルＬ２を巻回したコアが、こうして間隔の開いた対向する断面間に挿入されて、各断面に対向する状態で配置するようになされている。さらに充電装置２０は充電時の２次コイルＬ２の配置位置を、２次コイルＬ２を巻回したコアの中心位置を１次コイルＬ１を巻回したコアの中心位置から所望の方向にずらした位置とするようにしている。
例えば図中に示すように、充電装置２０では１次コイルＬ１を巻回したコアの一方の外周面の位置に、２次コイルＬ２を巻回したコアの外周面の位置を合わせることにより、２次コイルＬ２側のコアを１次コイル側コアの中心から外れた位置で位置合わせするようになされている。充電装置２０は、こうした配置位置で２次コイルＬ２の共振周波数が１次コイルＬ１の駆動周波数に比して高くなるようにしている。
以上の構成において、２次コイルＬ２を巻回したコアは、１次コイルＬ１を巻回したコアの所定間隔をもつて開けられた断面間に挿入されると共に、１次コイルＬ１側のコアの中心位置からずれた位置に中心を配するようになされている。また２次コイルＬ２側では当該配置位置で、１次コイルＬ１側の駆動周波数に比して共振周波数を高くするようになされている。
１次コイルＬ１側の所定間隔を開けて配された各コアの断面間には、１次コイルＬ１に流れる電流により磁束が生じ、駆動周波数生成部５が送出する発振信号の周波数に基づき駆動回路４が１次コイルＬ１に流れる電流方向を反転させ、１次コイルＬ１に生じる磁束を時間変化させる。これにより２次コイルＬ２に磁束の時間変化に応じて反転する誘導起電力が発生し、当該誘導起電力を電源として誘導電流が得られる。
しかしこの際、当該磁束による磁気のエネルギーが２次コイルＬ２を有する電子機器内に配された他の部品に鎖交して影響を及ぼし、熱を発生させたり誤動作を生じさせる場合がある。
充電装置２０は２次コイルＬ２を巻回したコアを少なくとも１次コイルＬ１側のコアの中心位置から離れた位置に配したことにより、２次コイルＬ２を有する電子機器内の他の電子部品に対する磁束の影響を低減して、磁場の影響による熱の発生又は誤動作を防止することができる。
また１次コイルＬ１側のコアに比して２次コイルＬ２側のコアの断面積を小さくしたことにより、上述のようにコアの配置位置をずらした場合においても１次コイルＬ１及び２次コイルＬ２間に形成される磁界のバラツキを減少し得る。さらにコアの断面積を小さくしたことにより、２次コイルＬ２を有する電子機器内で２次コイルコアの収納容積を少なくすることができ、電子機器を小型化することができる。
尚、この場合も、こうした配置状態で共振周波数が駆動周波数に比して高くなるように設定されているため、１次コイルＬ１側から２次コイルＬ２側への電力伝送効率の向上を得ることができる。
以上の構成によれば、２次コイルＬ２側の共振周波数を１次コイルＬ１側の駆動周波数に比して高い周波数とし、また１次コイルＬ１側のコアに比して２次コイルＬ２側のコアの断面積を小さくすると共に少なくとも１次コイルＬ１を巻回したコアの中心位置からずらした位置に２次コイルＬ１を巻回したコアを配した状態で充電を行うようにしたことにより、実効率Ｑを高くして見かけ上の結合係数を高くし得ると共に電子機器内の電子部品に対する１次コイルＬ１で生じた磁束の影響を低減することができ、また電子機器内の２次コイルコアの収納容積を少なくすることができ、かくするにつき、１次コイルＬ１から２次コイルＬ２への電力伝送効率を向上し得ると共に、磁場の影響による熱の発生又は誤動作を防止することができ、さらに電子機器の小型化を実現することができる。
（４）第４実施例
図１との対応部分に同一符号を付して示す図９において、３０は充電装置を示し、充電装置１と同一構成として電源２、電磁誘導部３及び駆動回路４を有している。充電装置３０は電磁誘導部３として所定形状のコアに巻回した１次コイルＬ１を配しており、充電時、１次コイルＬ１を巻回したコアと対向する位置に、電子機器内に配された２次コイルＬ２を巻回したコアを配するようになされている。
充電装置３０は、駆動周波数生成部５で生成する発振信号により駆動回路４のトランジスタＴｒ１をオン及びオフさせて１次コイルＬ１への導電及び遮断を駆動制御し、１次コイルＬ１に順方向及び逆方向に交互に電流を流す。こうして順方向及び逆方向に流れる電流によつて１次コイルＬ１には時間変化する磁束が生じ、当該磁束の鎖交により２次コイルＬ２に誘導起電力が生じて共振電流が流れ、ＬＣ回路により共振が生じる。なお充電装置３０は充電装置１と同様に、１次コイルＬ１の駆動周波数に対して２次コイルＬ２の共振周波数が高くなるようになされている（図３）。
充電装置３０は、生成する発振信号の周波数を可変し得るようになされた可変周波数生成部３１を駆動周波数生成部５（図１）に換えて設けると共に、電圧検出部３２、発振周波数制御部３３及び入力電圧制御部３４を追加構成として設けた点で充電装置１と異なつている。充電装置３０は電圧検出部３２による電圧値の検出結果に応じて発振周波数制御部３３によつて可変周波数生成部３１を制御すると共に入力電圧制御部３４によつて電源２から送出される入力電圧を制御し、これにより発振信号の周波数及び入力電圧を可変するようになされている。
可変周波数生成部３１は生成した発振信号を駆動回路４に供給する。駆動回路４は発振信号の電圧レベルに応じて１次コイルＬ１に導電する電流の駆動制御を行い、順方向及び逆方向で交互に電流を流す。これにより１次コイルＬ１に発生する磁束が時間変化する。２次コイルＬ２は、１次コイルＬ１が発生する磁束の鎖交に応じて誘導起電力を発生し、当該誘導起電力を電源として、磁束の時間変化に応じて反転する誘導電流を得る。
ここで２次コイルＬ２を有する電子機器の接続端に負荷として２次電池を接続した場合、この負荷によつて２次コイルＬ２側の出力電圧Ｖが低下する。こうした出力電圧の低下は１次コイルＬ１側にも影響し、１次コイルＬ１に生じる電圧の低下をもたらす。充電装置３０は、こうした負荷の影響による電圧低下を、１次コイルＬ１と並列に接続された電圧検出部３２によつて検出する。また電源２による電源電圧が上昇する場合も考えられるため、充電装置３０は、こうした電圧上昇も電圧検出部３２によつて検出する。
電圧検出部３２には予め基準電圧値が設定されており、電圧値の低下及び上昇を検出した場合、検出信号Ｓ１を発振周波数制御部３３及び入力電圧制御部３４に送出する。
発振周波数制御部３３は、検出信号Ｓ１に応じて制御信号Ｓ２を可変周波数生成部３１に与えて、電圧低下が検出された場合は可変周波数生成部３１が生成する発振信号の周波数を上げて変化させ、また電圧上昇が検出された場合は可変周波数生成部３１が生成する発振信号の周波数を下げて変化させる。また入力電圧制御部３４は、検出信号Ｓ１に応じて電源２から与えられる入力電圧を制御し、電圧低下が検出された場合は入力電圧を上げて１次コイルＬ１に送出し、また電圧上昇が検出された場合は入力電圧を下げて１次コイルＬ１に送出する。
２次コイルＬ２側で生じる誘導電圧は共振周波数ｆOUT、すなわち誘導電流の共振時に電圧値が最大となるようになつている。充電装置３０は可変周波数生成部３１により駆動周波数ｆOSCを２次コイルＬ２側の共振周波数ｆOUT以下の所定の周波数範囲で可変するように設定している。これにより充電装置３０では、当該可変範囲内で可変周波数生成部３１により駆動周波数を変化させ、１次コイルＬ１側の共振周波数を可変することにより、２次コイルＬ２側に生じる誘導電圧を上昇又は低下させている。
図１０に示すように、例えば発振信号の周波数、すなわち駆動周波数をｆ1の状態からΔｆ1だけ上げることにより、２次コイルＬ２に生じる誘導電圧Ｖ2をΔＶ2だけ上げることができる。
したがつて図１１に示すように、負荷を接続したことにより誘導電圧が図中に実線で示すように低下した場合、充電装置３０は電圧検出部３２により当該誘導電圧の低下を間接的に検出し、検出結果に応じて発振周波数制御部３３により可変周波数生成部３１を制御して発振信号の周波数を上げると共に、入力電圧制御部３４により電源２から与えられる電源電圧を上げて１次コイルＬ１に供給することにより、図中に破線で示すように誘導電圧を低下した分だけ上げて一定電圧を維持することができる。なお、電圧が上昇した場合も同様に、発振周波数制御部３３及び入力電圧制御部３４による周波数制御及び電圧制御により、一定電圧を維持する。
充電装置３０は、図１２に示す手順により、２次コイルＬ２側に生じる誘導電圧の維持を行う。すなわち充電装置３０は、まずステツプＳＰ１で手順を開始する。充電装置３０は手順開始後、ステツプＳＰ２で、電圧検出部３２により１次コイルＬ１に生じる電圧変動を検出する。充電装置３０は検出信号Ｓ１により検出結果の判別を行い、ステツプＳＰ３で電圧の低下を判別した場合、ステツプＳＰ５に移行する。また検出信号Ｓ１による検出結果の判別で電圧低下が認められない場合はステツプＳＰ４に移行する。充電装置３０は検出信号Ｓ１により検出結果の判別を行い、ステツプＳＰ４で電圧上昇を判別した場合、ステツプＳＰ６に移行する。また検出信号Ｓ１による検出結果の判別で電圧上昇が認められない場合はステツプＳＰ２に戻る。
充電装置３０はステツプＳＰ３で電圧低下を判別した場合、ステツプＳＰ５で、発振周波数制御部３３による可変周波数生成部３１の制御により発振信号の周波数ｆ1をΔｆ1だけ上げる。また入力電圧制御部３４による入力電圧の制御により入力電圧Ｖ1をΔＶ1だけ上げる。また充電装置３０はステツプＰＳ４で電圧上昇を判別した場合、ステツプＰＳ６で、発振周波数制御部３３による可変周波数生成部３１の制御により発振信号の周波数ｆ1をΔｆ1だけ下げる。また入力電圧制御部３４による入力電圧の制御により入力電圧Ｖ1をΔＶ1だけ下げる。
こうして周波数制御及び入力電圧制御を行つた後、充電装置３０はステツプＳＰ２に戻り、電圧検出によつて電圧低下又は上昇が検出されなくなるまで手順を繰り返し、２次コイルＬ２側の誘導電圧の低下分、又は上昇分だけ駆動周波数及び入力電圧を制御して補正する。
以上の構成において、充電装置３０は電圧検出部３２によつて１次コイルＬ１に生じる電圧変動を検出している。充電装置３０は当該検出によつて電圧低下、すなわち２次コイルＬ２側に生じる誘導電圧の低下を検出した場合、検出信号Ｓ１によつて発振周波数制御部３３及び入力電圧制御部３４に検出結果を通知する。発振周波数制御部３３は当該通知に応じて可変周波数生成部３１を制御して、発振信号の周波数を上げる。また入力電圧制御部３４は電源２から与えられる電源電圧を制御して高めた後に１次コイルＬ１に送出する。
充電装置３０は、こうして発振信号の周波数制御及び入力電圧制御により間接的に２次コイルＬ２側の誘導電圧を上げることができる。このように充電装置３０は、２次コイルＬ２側で負荷の接続により誘導電圧が低下した場合、駆動周波数制御及び入力電圧制御により誘導電圧を引き上げることができ、誘導電圧を一定に維持して安定させることができる。電圧が上昇した場合も同様の手順により誘導電圧を引き下げることができ、誘導電圧を一定に維持して安定させることができる。
また充電装置３０は発振周波数制御部３３による駆動周波数の制御と共に、入力電圧制御部３４による入力電圧の制御によつて電圧を引き上げ又は引き下げるようになされている。このため周波数制御と併用することで、高い精度で誘導電圧の補正を行うことができる。
以上の構成によれば、２次コイルＬ２側の共振周波数を１次コイルＬ１側の駆動周波数に比して高くすると共に、可変周波数生成部３１、電圧検出部３２、発振周波数制御部３３及び入力電圧制御部３４を設けて、電圧検出により電圧変動が検出された場合、駆動周波数及び入力電圧を制御するようにしたことにより、２次コイルＬ２側で誘導電圧が変動した場合に駆動周波数及び入力電圧を制御して間接的に誘導電圧を補正することができ、かくするにつき、１次コイルＬ１から２次コイルＬ２への電力伝送効率を向上し得ると共に、誘導電圧を一定に維持して安定化させることができる。
（５）第５実施例
図９との対応部分に同一符号を介して示す図１３において、４０は全体として充電装置を示し、基本的な構成としては充電装置３０（図８）と同一なものとなつている。すなわち充電装置４０は電源２から供給される電流を、可変周波数生成部３１が生成する発振信号の周波数に基づいて１次コイルＬ１に流し、１次コイルＬ１に発生する磁束の時間変化による電磁誘導によつて２次コイルＬ２側に誘導起電力を生じさせ、電力を伝送するようになされている。また充電装置４０は電圧検出部３２によつて電圧変動を検出し、検出結果に応じて変動した電圧を補正するようになされている。なお、１次コイルＬ１の駆動周波数と２次コイルＬ２の共振周波数とは、充電装置１（図１）と同様に、駆動周波数に比して共振周波数が高くなるように設定がなされている（図３）。
充電装置４０においては、発振信号の周波数に応じて１次コイルＬ１に順方向及び逆方向に電流を流すようになされた駆動回路４に換えて、発振信号の周波数に応じて１次コイルＬ１に断続的に電流を流すようになされた駆動回路４１を設けた点と、１次コイルＬ１に他のコイルを介してダンパーダイオードＤ４を接続した点と、電圧制御部３４（図９）を削除すると共に可変周波数生成部３１及び駆動回路４１間にパルス幅制御部４２を設けた点に関して、充電装置３０と構成が異なつている。
充電装置４０において、駆動回路４１はトランジスタＴｒ１のみで構成されており、コンデンサを用いないようになされている。充電装置３０においては１次コイルＬ１と駆動回路４内に設けられたコンデンサＣ１とによるＬＣ回路、及びトランジスタＴｒ１のオン及びオフによつて１次コイルＬ１に流れる電流を振動させ、磁束を時間変化させていた。
駆動回路４１はパルス幅制御部４２を介して可変周波数生成部３１から与えられる発振信号をトランジスタＴｒ１のベース電極に入力する。トランジスタＴｒ１はベース電極に入力される発振信号の電圧レベルが正である時、エミツタ電極及びコレクタ電極間に電流を導電する。これにより電源２から送出する電流が１次コイルＬ１に流れる。
またトランジスタＴｒ１のベース電極に入力される発振信号の電圧レベルが負の値となつた場合、トランジスタＴｒ１はエミツタ電極及びコレクタ電極間の導電を遮断する。これにより駆動回路４１は発振信号による駆動周波数に基づくパルス電圧を１次コイルＬ１に与え、電源２から送出される電流を断続的に１次コイルＬ１に流す。１次コイルＬ１は電流が流れる時と流れない時とで発生する磁束が時間変化し、当該磁束の鎖交により２次コイルＬ２に生じる誘導起電力が反転する。このため、当該誘導起電力を電源とする誘導電流は、２次コイルＬ２及び当該２次コイルＬ２に並行に接続されたコンデンサＣ２によるＬＣ回路によつて共振する。
充電装置４０は、このように１次コイルＬ１に発振信号による駆動周波数に基づいてパルス電圧を与え、これにより断続的に電流を流すことにより２次コイルＬ２側に誘導電流を発生させるようになされている。
また充電装置４０は電圧検出部３２によつて１次コイルＬ１の電圧変動を検出するようになされている。２次コイルＬ２の接続端に負荷を接続した場合、当該負荷により誘導電圧に変動が生じて電圧が低下する。こうした誘導電圧の低下は１次コイルＬ１にも影響し、駆動電圧の低下が生じる。充電装置４０は電圧検出部３２によつて１次コイルＬ１の電圧変動を検出することにより、間接的に２次コイルＬ２の誘導電圧における電圧変動を検出するようになされている。
電圧検出部３２には予め所定の基準電圧値が設定されており、当該基準電圧値と比較することで電圧変動を検出した場合、周波数制御部３３及びパルス幅制御部４２に検出信号Ｓ１を送出して検出結果を通知する。
周波数制御部３３は検出信号Ｓ１によつて電圧変動が通知された場合、可変周波数生成部３１に制御信号Ｓ２を送出する。可変周波数生成部３１は、これに応じて発振信号の周波数を予め設定された所定の周波数だけ可変して送出する。具体的には電圧低下が検出された場合、周波数制御部３３は制御信号Ｓ２を送出して可変周波数生成部３１が送出する発振信号の周波数、すなわち駆動周波数をΔｆ1だけ上げる。因みに電圧が上昇した場合は発振信号の周波数をΔｆ1だけ下げる。これに応じて２次コイルＬ２側の誘導電圧もΔＶ2だけ下がることになる（図９）。
またパルス幅制御部４２は検出信号Ｓ１によつて電圧変動が通知された場合、可変周波数生成部３１から送出される発振信号のパルス幅をパルス幅変調処理により可変して駆動回路４１に供給する。具体的には、検出信号Ｓ１によつて電圧が低下したことが通知された場合、パルス幅制御部４２は発振信号の電圧レベルが負である期間のパルス幅を変調してパルス間隔を所定間隔だけ狭める。充電装置４０は、こうして発振信号の電圧レベルが負である期間のパルス幅を狭めることにより駆動回路４１による電流の遮断期間を短縮している。
パルス幅制御部４２は、こうして発振信号の電圧レベルが負である期間のパルス幅を狭めることにより、トランジスタＴｒ１のオフ状態である期間を狭めることができる。トランジスタＴｒ１のオフ状態である期間が狭まつて導電期間が長くなることにより、等価的に入力インピーダンスが低くなり、これにより１次コイルＬ１に与えられるパルス電圧を上昇させることができる。
充電装置４０は、このように２次コイルＬ２側の負荷による電圧変動を間接的に検出した場合、周波数制御部３３による駆動周波数の可変制御、及びパルス幅制御部４２による発振信号の負の電圧レベルである期間のパルス幅変調制御を行うことによつて１次コイルＬ１の入力電圧を制御し、これにより２次コイルＬ２に生じる誘導電圧を可変制御して補正する。
以上の構成において、充電装置４０は充電装置１と同様に駆動周波数に比して２次コイルＬ２に生じる共振周波数が高くなるように設定すると共に、１次コイルＬ１の電圧変動を検出することにより間接的に２次コイルＬ２側の負荷による電圧変動を検出するようになされている。
充電装置４０は電圧低下を検出した場合、可変周波数生成部３１が生成する発振信号の周波数（駆動周波数）を上げると共に発振信号の負の電圧レベルである期間のパルス幅を狭める。また電圧上昇を検出した場合、可変周波数生成部３１が生成する発振信号の周波数、すなわち駆動周波数を下げると共に発振信号の負の電圧レベルである期間のパルス幅を広げる。
電圧低下が検出された際に周波数制御により駆動周波数を上げることにより、２次コイルＬ２に生じる誘導電圧が高電圧に可変される。周波数制御による駆動周波数の可変範囲は誘導電圧が最大となる共振周波数の前段部分で設定されているため、こうして駆動周波数を上げることにより誘導電圧を上昇させることができる。
また同様に電圧低下が検出された際に発振信号の負の電圧レベルである期間のパルス幅を狭めることにより、駆動回路４１のトランジスタＴｒ１による電流の導電期間を長くする。これによりトランジスタＴｒ１の内部抵抗を等価的に減少して、１次コイルＬ１の入力電圧を上げることができる。したがつて間接的に２次コイルＬ２側に生じる誘導電圧を上げることができる。
充電装置４０は、このように駆動電圧に電圧低下が生じた場合に周波数制御及びパルス幅変調制御を行つて１次コイルＬ１の入力電圧を上げることにより、負荷接続により低下した２次コイルＬ２側の誘導電圧を間接的に上昇させて補正し、ほぼ一定電圧に維持することができる。
以上の構成によれば、２次コイルＬ２側で電圧変動が生じた場合、電圧検出部３２によつて１次コイルＬ１に生じる入力電圧の電圧変動を検出することにより間接的に２次コイルＬ２の電圧変動を検出することができ、こうした場合に周波数制御部３３及びパルス幅制御部４２によつて発振信号の周波数及びパルス間隔を制御して１次コイルＬ１の駆動周波数及び入力電圧を上昇又は低下させて、間接的に２次コイルＬ２側に生じる誘導電圧を上昇又は低下させることができ、かくするにつき、２次コイルＬ２側の負荷接続等による電圧変動を検出して変動した電圧を補正し、ほぼ一定に維持することができる。
（６）第６実施例
図１との対応部分に同一符号を付して示す図１４において、５０は充電装置を示し、充電装置１とほぼ同一な構成を有している。すなわち充電装置５０は電源２、電磁誘導部３、駆動回路４及び駆動周波数生成部５を有している。電磁誘導部３は所定形状のコアに巻回した１次コイルＬ１及び２次コイルＬ２でなり、充電時、１次コイルＬ１を巻回したコアの対向位置に、電子機器内に配された２次コイルＬ２を巻回したコアを配するようになされている。充電装置５０は、駆動周波数生成部５で生成する発振信号により駆動回路４のトランジスタＴｒ１をオン及びオフさせて１次コイルＬ１への導電及び遮断を駆動制御し、これにより１次コイルＬ１に順方向及び逆方向に交互に電流を流す。こうして順方向及び逆方向に流れる電流によつて１次コイルＬ１には時間変化する磁束が生じ、当該磁束の鎖交により２次コイルＬ２に誘導起電力が生じて電流が流れ、当該２次コイルＬ２と並行接続されたコンデンサＣ２とによるＬＣ回路により共振する。また充電装置５０は充電装置１と同様に、１次コイルＬ１の駆動周波数に対して２次コイルＬ２の共振周波数が高くなるようになされている（図３）。
充電装置５０は充電装置１と異なる追加構成として、間欠発振回路５１、発振回路５２、電流検出部５３及び間欠発振制御回路５４を設けている。
間欠発振回路５１は発振回路５２から与えられる所定周波数でなる発振信号Ｓ１０に基づいて所定時間毎に駆動信号Ｓ１１を間欠的に駆動周波数生成部５へ送出するようになされている。駆動周波数生成部５は駆動信号Ｓ１１が与えられた時にのみ、発振信号を駆動回路４に送出するようになされている。これにより充電装置５０は間欠的に駆動周波数生成部５から発振信号を送出させて１次コイルＬ１に所定時間だけ電流を流すようにしている。例えば発振回路５２が生成する発振信号Ｓ１０の電圧レベルが正である時間をｔ1とすると共に電圧レベルが負である時間がｔ2とする場合、間欠発振回路５１は時間ｔ2毎に駆動信号Ｓ５１を送出し、時間ｔ1だけトランジスタＴｒ１をオン状態とする。なお、こうして一定時間毎に間欠的に駆動周波数生成部５から発振信号を送出させる状態を間欠動作モードとする。また連続的に駆動周波数生成部５から発振信号を送出させる状態を完全動作モードとする。
また充電装置５０は電流検出部５３によつて、電源２から１次コイルＬ１に流れる電流の電流量を検出するようにしている。電流検出部５３は電源２から１次コイルＬ１に流れる電流量を検出し、検出信号Ｓ１２を間欠発振制御部５４に送出して検出結果を通知する。
間欠発振制御部５４には上述した間欠動作モードに応じた基準電流量Ｉ１、及び完全動作モードに応じた基準電流量Ｉ２がしきい値として設定されている。間欠発振制御部５４は検出信号Ｓ１２により与えられた検出結果を当該しきい値と比較し、比較結果に応じた制御信号Ｓ１３を間欠発振回路５１に送出する。具体的には、検出結果が１次コイルＬ１に流れる電流量がしきい値Ｉ１以上である場合、間欠発振制御部５４は間欠発振回路５１を間欠動作モードとする制御信号Ｓ１３を送出する。また検出結果が１次コイルＬ１に流れる電流量がしきい値Ｉ２以下である場合、間欠発振制御部５４は間欠発振回路５１を完全動作モードとする制御信号Ｓ１３を送出する。
間欠発振回路５１は制御信号Ｓ１３により間欠動作モード又は完全動作モードで駆動し、間欠動作モードの場合は発振信号Ｓ１０に基づく所定時間毎に、また連続動作モードの場合は連続的に、駆動信号Ｓ１１を駆動周波数生成部５に供給する。例えば、間欠動作モードの場合、発振信号Ｓ１０を駆動周波数生成部５に供給して発振信号Ｓ１０の電圧レベルが正である時にのみ発振信号を送出させ、また完全動作モードの場合、駆動周波数生成部５に供給する駆動信号Ｓ１１を発振信号Ｓ１０から正電圧にクランプされたものに切り換える。
充電装置５０は、こうして１次コイルＬ１に流れる電流量に応じて、間欠動作モードと完全動作モードを切り換える。２次コイルＬ２が充電位置、すなわち１次コイルＬ１に対向する位置に配されていない場合、負荷が存在しないため、１次コイルＬ１に流れる電流量はほぼ一定状態に保たれている。ここで２次コイルＬ２を充電位置に配した場合、１次コイルＬ１及び２次コイルＬ２が磁気的に接続されて２次コイルＬ２に接続された負荷によつて１次コイルＬ１に流れる電流量が変動する。充電装置５０は、こうした電流量の変動により２次コイルＬ２が充電位置に配されたか否かを検出し、充電装置に配されたことを検出した場合、それまで間欠動作モードで駆動していた間欠発振回路５１を完全動作モードに切り換えて１次コイルＬ１に連続的に電流を流すようになされている。
以上の構成において、充電装置５０は、１次コイルＬ１に流れる電流量に応じて、間欠動作モードと完全動作モードとを切り換えるようになされている。２次コイルＬ２が充電位置に配されていない場合、電流検出部５３によつて検出される電流量は予め設定されたしきい値Ｉ１以上であり、こうした検出結果が得られた場合、間欠発振制御回路５４から送出される制御信号Ｓ１３によつて間欠発振回路５１を間欠動作モードで駆動させる。間欠動作モードでは駆動周波数生成部５が生成する発振信号は発振回路５２が生成する発振信号Ｓ１０による周期で断続的に所定時間だけ送出するようになされており、これにより１次コイルＬ１に発振信号Ｓ１０による周期で断続的に所定時間だけ、電流を流している。これにより２次コイルＬ２が充電位置に配されていない状態、すなわち充電状態で無い場合は１次コイルＬ１に流す電流を断続的に所定時間だけ流して、消費電力を低減することができる。
またこうして間欠発振回路５１が間欠動作モードで駆動している際に２次コイルＬ２が充電位置に配された場合、２次コイルＬ２側の負荷により１次コイルＬ１に流れる電流量が低下する。ここで電流検出部５３によつて検出される電流量は予め設定されたしきい値Ｉ２以下となり、こうした検出結果が得られた場合、間欠発振制御回路５４から送出される制御信号Ｓ１３によつて間欠発振回路５１を完全動作モードで駆動させる。完全動作モードでは駆動周波数生成部５が生成する発振信号は連続的に送出するようになされており、これにより１次コイルＬ１に連続的に電流が流れる。
充電装置５０は、このように２次コイルＬ２が充電位置に配されたことを電流量の変動により検出し、検出結果に応じて、１次コイルＬ１に発振信号Ｓ１０による所定時間毎に所定時間だけ電流を流す間欠動作モードと、１次コイルＬ１に連続して電流を流す完全動作モードとを切り換えることができ、２次コイルＬ２が充電位置に配されていない状態での消費電力を低減することができる。
以上の構成によれば、電源２及び１次コイルＬ１間に配した電流検出部５３によつて１次コイルＬ１に流される電流量を検出し、検出結果に応じて間欠発振制御回路５４により、間欠発振回路５１の間欠動作モード又は完全動作モードでなる駆動状態を切り換えるようにしたことにより、２次コイルＬ２が充電位置に配されたか否かに応じて１次コイルＬ１に流す電流を完全動作モードでは連続的に流し又間欠動作モードでは所定時間毎に断続的に流すことができ、かくするにつき、２次コイルＬ２が充電位置に配されていない、すなわち充電状態に無い場合の消費電力を低減することができる。
（７）他の実施例
なお上述の第１〜第６実施例においては、１次コイルＬ１と２次コイルＬ２との巻き数比、及びＬＣ回路を形成するコンデンサＣ２の容量によつて２次コイルＬ２側の共振周波数ｆOUTを調整する場合について述べたが、本発明はこれに限らず、例えば２次コイルＬ２と直列にコイルを接続し、当該コイルにより得られる外部インダクタンスによつて２次コイルＬ２側の共振周波数ｆOUTを調整してもよい。これにより１次コイル及び２次コイル間の結合度が良くリーケージインダクタンスが低い場合や、２次コイルＬ２側で１次コイルＬ１と同一周波数を得るためにコンデンサ容量を低く抑えた場合に対応でき、またノイズ成分を削減することができる。
また上述の第１〜第４、及び第６実施例においては、１次コイルＬ１に順方向及び逆方向に交互に電流を流すようになされた、いわゆる共振型の駆動回路４を設けた場合について述べたが、本発明はこれに限らず、例えば１次コイルＬ１に断続的に電流を流すようになされた、いわゆるパルス型の駆動回路４を設けた場合に適用してもよい。
また上述の第１〜第６実施例においては、駆動回路４にバイポーラ型のトランジスタＴｒ１を設けた場合について述べたが、本発明はこれに限らず、例えばバイポーラトランジスタに換えて電界効果トランジスタを設けるようにしてもよい。
また上述の第２実施例においては、２次コイルＬ２Ａ及びＬ２Ｂの巻き数比を調節することにより２次コイルＬ２Ａ及びＬ２Ｂの誘導電圧の電圧値をほぼ同じ電圧値とする場合について述べたが、本発明はこれに限らず、例えば２次コイルＬ２Ａの後段に設けられたダイオードＤ２と２次コイルＬ２Ｂの後段に設けられたダイオードＤ３との、一方又は双方の前段部分にインピーダンス素子を接続することにより誘導電圧の電圧値をほぼ同じ電圧値とし、２次コイルＬ２Ａ及びＬ２Ｂから送出される誘導電流を整流するようにしてもよい。
また上述の第４及び第５実施例においては、１次コイルＬ１の入力電圧において電圧検出を行い、電圧変動を検出した際に駆動周波数及び入力電圧、又は発振信号のパルス幅を制御して、２次コイルＬ２側の誘導電圧の電圧変動を補正する場合について述べたが、本発明はこれに限らず、例えば電圧検出部３２に換えて電流検出部を設け、電流検出による検出結果に応じて駆動周波数及び入力電圧、又は発振信号のパルス幅を制御するようにしてもよい。
また上述の第５実施例においては、駆動周波数の周波数制御及び発振信号のパルス幅制御により２次コイルＬ２側の誘導電圧の電圧変動を補正する場合について述べたが、本発明はこれに限らず、例えば周波数制御又はパルス幅制御の何方か一方のみを用いるようにしてもよい。
さらに上述の第５実施例においては、１次コイルＬ１の入力電圧の電圧変動を検出して駆動周波数の周波数制御及び発振信号のパルス幅制御を行う場合について述べたが、本発明はこれに限らず、例えば１次コイルＬ１とは別に第３のコイルを電磁誘導部３に設けて当該コイルに生じる電圧変動を検出し、検出結果に応じて駆動周波数の周波数制御及び発振信号のパルス幅制御を行うようにしてもよい。
さらに上述の第６実施例においては、発振回路５２が生成する発振信号Ｓ１０による所定周期毎に間欠発振回路５１から駆動周波数生成部５に駆動信号Ｓ１１を供給し、この間だけ発振信号を送出させて１次コイルＬ１に電流を流すようにした場合について述べたが、本発明はこれに限らず、例えば駆動周波数生成部５及び駆動回路４間にスイツチ手段を設けて、発振回路５２が生成する発振信号Ｓ１０による所定周期毎に間欠発振回路５１から切換え信号を送出させて当該スイツチ手段のオン／オフ状態を切り換えるようにしてもよい。すなわち間欠動作モードの場合は発振信号Ｓ１０の電圧レベルが正である時間だけスイツチ手段をオン状態にして駆動回路４に発振信号を供給する。また完全動作モードの場合はスイツチ手段をオン状態のままにする。これにより実施例の場合と同様に間欠動作モードと完全動作モードとで１次コイルＬ１に流す電流の導電状態を切り換えることができる。
また上述の第６実施例においては、１次コイルＬ１に流れる電流量を検出して間欠動作モードと完全動作モードとを切り換えるようにした場合について述べたが、本発明はこれに限らず、例えば図１５に示すように、ＡＣ電源である電源２に加えて電池電源６０を設けて１次コイルＬ１に接続すると共に、電源２及び電池電源と１次コイルＬ１との間にそれぞれスイツチ部Ｓ１、Ｓ２を設けて、さらに１次コイルＬ１に流れる電流量を検出する検出部６１及びスイツチ部Ｓ１、Ｓ２を制御する制御部６２を設けるようにしてもよい。
この場合、検出部６１による電圧検出により２次コイルＬ２が充電位置に配されたか否かを検出し、当該検出結果に応じて制御部６２によつてスイツチ部Ｓ１、Ｓ２のオン／オフを制御することにより、２次コイルＬ２が充電位置に無い場合のように１次コイルＬ１に流す電流が小電流でよい場合はスイツチＳ２をオン状態、スイツチＳ１をオフ状態にして電池電源６０により消費電流を賄い、また２次コイルＬ２が充電位置に配された場合はスイツチＳ１をオン状態、スイツチＳ２をオフ状態にして電源２から送出される電源電流を１次コイルＬ１に供給する。これにより実施例とほぼ同様に、２次コイルＬ２が充電位置に無い場合の消費電流を低減することができる。
また上述の第６実施例においては、電流量の検出により間欠動作モードと完全動作モードとを切り換えるようになされた充電装置５０の場合について述べたが、本発明はこれに限らず、例えば周波数検出又は電圧検出によつて間欠動作モードと完全動作モードとを切り換えるようにしてもよい。
２次コイルＬ２には共振のため、並行にコンデンサＣ２が接続されており、２次コイルＬ２を充電位置に配した場合、１次コイルＬ１に生じる電圧の周波数、すなわち駆動周波数に変動が生じる。また同様に電圧値においても１次コイルＬ１と２次コイルＬ２との共振によりパルス電圧の波形にオーバーシユート等の変動が生じる。充電装置５０に電流検出部５３に換えて当該周波数変動、電圧変動又はパルス電圧の波形変動を検出する検出手段を設けて、検出結果を間欠発振制御回路５４（図１４）に通知するようにすれば、実施例と同様の効果を得ることができる。
また上述の第６実施例においては、１次コイルＬ１に流れる電流量を電流検出部５３により検出する場合について述べたが、本発明はこれに限らず、例えば図１６に示すように、２次コイルＬ２の充電位置に対向する位置に３次コイルＬ３を配して当該３次コイルＬ３の電圧変動を検出し、検出結果を間欠発振制御回路５４（図１４）に通知するようにしてもよい。２次コイルＬ２が充電位置に配された場合、１次コイルに生じる磁束の鎖交によつて３次コイルＬ３に発生する共振電圧が低下するため、当該低下が生じたことにより２次コイルＬ２が充電位置に配されたことを検出することができる。
また上述の第６実施例においては、１次コイルＬ１に流れる電流量を電流検出部５３により検出する場合について述べたが、本発明はこれに限らず、例えば１次コイルＬ１とは独立しており、小電力の電池電源等から電流が供給されている補助コイルを設けると共に、電子機器側に当該補助コイルと対向する位置で金属片又はコイル形状でなる金属を配するようにしてもよい。補助コイルと対向する位置に当該金属片又はコイル形状でなる金属が配された場合、すなわち電子機器が充電位置に配された場合、補助コイルに流れる電流に変動が生じるため、当該変動を検出することで充電位置に電子機器が配されたことを判別することができる。当該判別結果を間欠発振制御回路５４（図１４）に通知するようにすれば、実施例と同様の効果を得ることができる。
さらに上述の第１〜第６実施例においては、電子機器内に内蔵された２次電池に充電を行う充電装置１、１０、２０、３０、４０及び５０に適用した場合について述べたが、本発明はこれに限らず、例えば１次コイル側から伝送する電力を２次コイルを有する電子機器側で直接、駆動電力として使用する場合に適用してもよい。すなわち１次コイル側から２次コイル側に電磁誘導によつて電力を伝送する電力伝送装置であれば上述の実施例を適用し得る。
産業上の利用可能性
携帯用小型電子機器に内蔵された二次電池を充電する充電装置に利用することができる。
【図１】
0003692541.tif 000002
【図２】
0003692541.tif 000003
【図３】
0003692541.tif 000004
【図４】
0003692541.tif 000005
【図５】
0003692541.tif 000006
【図６】
0003692541.tif 000007
【図７】
0003692541.tif 000008
【図８】
0003692541.tif 000009
【図９】
0003692541.tif 000010
【図１０】
0003692541.tif 000011
【図１１】
0003692541.tif 000012
【図１２】
0003692541.tif 000013
【図１３】
0003692541.tif 000014
【図１４】
0003692541.tif 000015
【図１５】
0003692541.tif 000016
【図１６】
0003692541.tif 000017
0003692541.tif 000018